【手続補正書】
【提出日】平成17年3月16日(2005.3.16)
【手続補正１】
【補正対象書類名】明細書
【補正対象項目名】特許請求の範囲
【補正方法】変更
【補正の内容】
【特許請求の範囲】
【請求項１】  キー切削装置であって、
エッジを有する切削車輪を各々備えている、一対の切削ヘッドと、
各々の切削車輪の後方に取り付けられた整列構造部であって、各々の整列構造部は、キーブランクと係合してこれを側面方向に位置決めするため、対応する切削車輪のエッジの接線方向に整列されたキー案内部を有する、前記整列構造部と、
前記切削ヘッドの間に配置され、且つ、前記キーブランクを静止状態に保持するように構成された、クランプ機構と、
を含む、キー切削装置。
【請求項２】  各々の切削ヘッドは、対応する切削車輪の回転軸から離れるように前記整列構造部のキー案内部を偏倚させるスプリングを更に含んでいる、請求項１に記載のキー切削装置。
【請求項３】  各々の整列構造部のキー案内部は、対応する切削車輪の回転軸に向かって枢動可能である、請求項２に記載のキー切削装置。
【請求項４】  キーブランク上の切削パターンを切削するためのキー切削装置であって、
頂部フレームとベースとを備えるハウジングと、
前記ハウジングのベースに支持されることなく、該ハウジングの頂部フレームの下方に吊り下げられた一対の切削ヘッドであって、各切削ヘッドは、前記キーブランク上に前記切削パターンを切削するため回転可能である切削車輪を備えている、前記一対の切削ヘッドと、
を含んでいる、キー切削装置。
【請求項５】  前記ハウジングの頂部フレームから吊り下げられ且つ長さ方向に延在する一対のガイドレイルと、各ガイドレイルに摺動可能に取り付けられた一対のベアリング支持部と、該ベアリング支持部に接続されたキャリッジと、を更に含む、請求項４に記載のキー切削装置。
【請求項６】  前記切削ヘッドは、前記キャリッジの下方に吊り下げられ、且つ、該キャリッジが長さ方向に摺動するとき一斉に長さ方向に移動可能である、請求項５に記載のキー切削装置。
【請求項７】  前記キャリッジは、側面方向に延在する一対の溝を備えており、各切削ヘッドは、各切削ヘッドが直線運動で側面方向に移動可能であるように、対応する溝と摺動可能に係合された突起部を更に備えている、請求項６に記載のキー切削装置。
【請求項８】  各々の切削ヘッドは、各切削ヘッドが枢動運動で側面方向に移動可能であるように対応する対のベアリング支持部から枢動可能に吊り下げられているアームを更に備えている、請求項６に記載のキー切削装置。
【請求項９】  各々の切削ヘッドは、押しブロックと、該押しブロックを他の切削ヘッドから離れる方に偏倚させているスプリングと、を更に備えている、請求項８に記載のキー切削装置。
【請求項１０】
キーブランク上で切削パターンを切削するためのキー切削装置であって、
頂部フレームを備えるハウジングと、
前記ハウジング内に配置された一対の切削ヘッドであって、各切削ヘッドは、前記キーブランク上で前記切削パターンを切削するため回転可能な切削車輪を備えている、前記一対の切削ヘッドと、
前記切削ヘッドの間に配置されたクランプ機構であって、該クランプ機構は、下側クランプと、上側クランプとを備え、該上側クランプは、前記ハウジングの頂部フレームから吊り下げられ、且つ、前記キーブランクを静止状態で保持するため該下側クランプに対して垂直に移動可能である、前記クランプ機構と、
を含む、キー切削装置。
【請求項１１】  前記ハウジングは、ベースを備え、前記下側クランプは該ハウジングの該ベース上で支持されている、請求項１０に記載のキー切削装置。
【請求項１２】  前記下側クランプは、前記キーブランクの胴部を支持するように構成された凹部と、該キーブランクのブレード部を支持するように構成された、細長い部分と、を備えている、請求項１１に記載のキー切削装置。
【請求項１３】  前記上側クランプは、前記キーブランクの胴部を押すように構成された底部表面と、該キーブランクの前記ブレード部を押すように構成された、細長い部分と、を備えている、請求項１２に記載のキー切削装置。
【請求項１４】  前記クランプ機構は、前記ハウジングの頂部フレームの上方に配置されたブロックと、該ハウジングの該頂部フレームを通って延在し且つ該ブロック及び前記上側クランプに接続されたクランプねじと、を更に備えている、請求項１０に記載のキー切削装置。
【請求項１５】  前記ブロックは、前記ハウジングの頂部フレームから離れている開位置と、該ハウジングの頂部フレームに近接している閉位置との間で垂直に移動可能である、請求項１４に記載のキー切削装置。
【請求項１６】  前記クランプ機構は、前記閉位置に向かって前記ブロックを偏倚させる一対のスプリングを更に備えている、請求項１５に記載のキー切削装置。
【請求項１７】  前記ブロックは、該ブロックを通って延びている孔を備え、前記クランプ機構は、シャフトと、該ブロックを開位置及び閉位置の間で移動させるため該ブロックの孔に前記シャフトに偏心して取り付けられたカムと、を更に備えている、請求項１６に記載のキー切削装置。
【請求項１８】
前記クランプ機構は静止しており、前記切削ヘッドは該クランプ機構に対して移動可能である、請求項１０に記載のキー切削装置。
【請求項１９】  キーブランク上の切削パターンを切削するためのキー切削装置であって、
前記キーブランクを静止状態で保持するように構成されたクランプ機構と、
前記クランプ機構の後方に配置され且つ前記キーブランクの先端と係合して該キークランプを長さ方向に位置決めするように構成された先端停止機構と、
前記クランプ機構に対して移動可能な一対の切削ヘッドであって、該切削ヘッドは、長さ方向に一斉に移動可能であり、側面方向に互いに独立に移動可能であり、各切削ヘッドは、前記キーブランク上で前記切削パターンを切削するため回転可能な切削車輪を備えている、前記一対の切削ヘッドと、
を含む、キー切削装置。
【請求項２０】  各々の切削ヘッドは、直線運動で側面方向に移動可能である、請求項１９に記載のキー切削装置。
【請求項２１】  各々の切削ヘッドは、枢動運動で側面方向に移動可能である、請求項１９に記載のキー切削装置。
【請求項２２】  キー切削装置を使用してキーブランク上の切削パターンを切削するための方法であって、該キー切削装置は、クランプ機構と、先端停止部と、一対の切削ヘッドとを備え、各切削ヘッドは、切削車輪と、該切削車輪の後方に取り付けられたパドルと、を備えており、前記方法は、
前記キーブランクの幅で互いから隔てられた側面方向位置に前記パドルを配置するため、前記切削ヘッドを側面方向に移動し、
前記キーブランクを前記クランプ機構に挿入し、
前記キーブランクを前記パドルと係合させることによって該キーブランクを側面方向に位置決めし、
前記キーブランクの先端を前記先端停止部に係合させ、
前記先端停止部を長さ方向に移動させることによって、前記キーブランクを、正しい長さ方向位置に配置し、
前記クランプ機構を使用して前記キーブランクを静止状態でクランプし、
前記キーブランク上の切削パターンを切削するため、前記クランプ機構に対して前記切削ヘッドの少なくとも１つを移動させる、各工程を含む、前記方法。
【請求項２３】  前記切削ヘッドの少なくとも１つを前記クランプ機構に対して移動させる工程は、
前記切削ヘッドを長さ方向に一斉に移動させ、
前記切削ヘッドの少なくとも１つを前記切削ヘッドのうち他のヘッドから独立に側面方向に移動させる、請求項２２に記載の方法。
【請求項２４】  前記切削ヘッドの少なくとも１つは、直線運動で側面方向に移動される、請求項２３に記載の方法。
【請求項２５】  前記切削ヘッドの少なくとも１つは、枢動運動で側面方向に移動される、請求項２３に記載の方法。
【請求項２６】  前記キーブランクを静止状態でクランプする工程は、上側クランプを下側クランプに向かって垂直下方に移動させる工程を含んでいる、請求項２２に記載の方法。
【請求項２７】  前記少なくとも１つの切削ヘッドに対応するパドルは、該少なくとも１つの切削ヘッドが前記クランプ機構に向かって移動されるとき、対応する切削車輪の回転軸に向かって倒れる、請求項２２に記載の方法。